(57)【特許請求の範囲】
【請求項１】
外壁に取り付けられる略中央に開口部を有した本体と、正面部および天面部と側部を閉口して形成したフードと、前記フードの下方に複数の風向板を設け、複数の風向板を、外壁面から最も遠くに位置する風向板をその他の風向板である複数の風向板より下方に長く形成した風向調整板を設けるものであって、前記風向板同士の間隔を、前記外壁から離れるほど狭くすることを特徴とする外壁端末換気口。
【請求項２】
外壁に取り付けられる略中央に開口部を有した本体と、正面部および天面部と側部を閉口して形成したフードと、前記フードの下方に複数の風向板を設け、複数の風向板を、外壁面から最も遠くに位置する風向板をその他の風向板である複数の風向板より下方に長く形成した風向調整板を設けるものであって、前記風向調整板と前記フードの前記正面部との間隔を、その他の複数の前記風向板同士の間隔より狭くすることを特徴とする外壁端末換気口。
【請求項３】
外壁に取り付けられる略中央に開口部を有した本体と、正面部および天面部と側部を閉口して形成したフードと、前記フードの下方に複数の風向板を設け、複数の風向板を、外壁面から最も遠くに位置する風向板をその他の風向板である複数の風向板より下方に長く形成した風向調整板を設け、複数の前記風向板の形状を曲面状の曲面部を形成するものであって、前記曲面部を、前記外壁側に凹部を形成することを特徴とする外壁端末換気口。
【請求項４】
外壁に取り付けられる略中央に開口部を有した本体と、正面部および天面部と側部を閉口して形成したフードと、前記フードの下方に複数の風向板を設け、複数の風向板を、外壁面から最も遠くに位置する風向板をその他の風向板である複数の風向板より下方に長く形成した風向調整板を設け、複数の前記風向板の形状を曲面状の曲面部を形成するものであって、前記フードの前記正面部と両前記側部との間に傾斜面を設け、前記傾斜面に空気の流通する開口部を設けることを特徴とする外壁端末換気口。
【請求項５】
外壁に設けられ、室内と室外を連通するダクトに挿入される筒部と、外壁に取り付けられ、略中央に開口部を有したフランジ部とからなる本体と、この本体に固定され、正面部および天面部を閉口し、下部および側部を開口し、空気の流通路を形成することを特徴とする請求項４記載の外壁端末換気口。
【請求項６】
フランジ部の開口部を、筒部の内径寸法より大きい内径寸法の開口とし、この開口の外周にはフード側に突出する筒壁を形成するとともに、前記筒壁の下部に水抜穴を設けることを特徴とする請求項５記載の外壁端末換気口。
【発明の詳細な説明】
【技術分野】
【０００１】
本発明は、建物の換気を行うために換気口の屋外側に取り付けられる外壁端末換気口に関する。
【背景技術】
【０００２】
従来の外壁端末換気口は、特許文献１に記載の建物の外壁に取り付けて換気口を形成する外壁端末換気口であって、外壁に穿設された通気孔に挿入される通気孔挿入胴体１０１と、この通気孔挿入胴体１０１の正面部および天面部と側部を覆うように設けられた外壁から突出するフード１０２で構成され、フード１０２にガラリ１０３が挿入されて配設されたものが知られていた。
【先行技術文献】
【特許文献】
【０００３】
【特許文献１】特許第３９２３６１０号公報
【発明の概要】
【発明が解決しようとする課題】
【０００４】
このような従来の外壁端末換気口においては、この通気孔挿入胴体１０１を流れてきた排気がフード１０２の正面板に当たった後に下方に流れてガラリ１０３に入り込む。そして、排気はガラリ１０３のガイド板１０３ａで規制されて下方斜め前方へ排出されることとなるが、正面板に沿って排出される下向きの排気流風速が他のガイド板からの排気流風速よりも大きくなるため、排気流全体としてはこの気流に誘引されて壁面に沿う気流となり、外壁と接触する部分で外壁汚れが発生し、住宅の外観を損なうという課題を有する。
【０００５】
また、建築基準法改正以降の２４時間換気の普及および白系やベージュ系の外壁の増加傾向により外壁端末換気口からの排気流によって、排気流が外壁と接触する部分で外壁汚れが発生し、住宅の外観を損なうという事例が急増しているという課題を有していた。
【０００６】
そこで本発明は、上記従来の課題を解決するものであり、排気流による外壁の汚れを防止することができる外壁端末換気口を提供することを目的とする。
【課題を解決するための手段】
【０００７】
そして、この目的を達成するために、本発明は、外壁に取り付けられる略中央に開口部を有した本体と、正面部および天面部と側部を閉口して形成したフードと、前記フードの下方に複数の風向板を設けたものであって、複数の風向板を、外壁面から最も遠くに位置する風向板をその他の風向板である複数の風向板より下方に長く形成した風向調整板を設けるものであり、これにより所期の目的を達成するものである。
【発明の効果】
【０００８】
本発明によれば、外壁に取り付けられる略中央に開口部を有した本体と、正面部および天面部と側部を閉口して形成したフードと、前記フードの下方に複数の風向板を設けたものであって、複数の風向板を、外壁面から最も遠くに位置する風向板をその他の風向板である複数の風向板より下方に長く形成した風向調整板を設けるという構成にしたことにより、排気流による外壁の汚れを防止することができるという効果を得ることができる。
【図面の簡単な説明】
【０００９】
【図１】本発明の実施の形態１の外壁端末換気口の構成を示す断面図
【図２】同外壁端末換気口の構成を示す斜視図
【図３】同外壁端末換気口の風向板の構成を示す断面図
【図４】同外壁端末換気口の構成を示す断面図
【図５】同外壁端末換気口の風向板の構成を示す断面図
【図６】同外壁端末換気口の構成を示す断面図
【図７】同外壁端末換気口の風向板の構成を示す断面図
【図８】同外壁端末換気口の構成を示す断面図
【図９】同外壁端末換気口の構成を示す断面図
【図１０】同外壁端末換気口の風向板の構成を示す断面図
【図１１】同外壁端末換気口の構成を示す断面図
【図１２】同外壁端末換気口の構成を示す斜視図
【図１３】同外壁端末換気口の構成を示す断面図
【図１４】同外壁端末換気口の構成を示す断面図
【図１５】同外壁端末換気口の構成を示す断面図
【図１６】同外壁端末換気口の構成を示す斜視図
【図１７】同外壁端末換気口の構成を示す斜視図
【図１８】同外壁端末換気口の構成を示す断面図
【図１９】同外壁端末換気口の構成を示す斜視図
【図２０】従来の外壁端末換気口の構成を示す断面図
【発明を実施するための形態】
【００１０】
本発明の外壁端末換気口は、外壁に取り付けられる略中央に開口部を有した本体と、正面部および天面部と側部を閉口して形成したフードと、前記フードの下方に複数の風向板を設けたものであって、複数の風向板を、外壁面から最も遠くに位置する風向板をその他の風向板である複数の風向板より下方に長く形成した風向調整板を設けるという構成を有する。これにより、外壁面から最も遠くに位置する風向板をその他の風向板である複数の風向板より下方に長く形成した風向調整板を設けることによって、他の風向板よりも多くの空気を受けることにより、各風向板からの排気流のなかで最も大きな風速の壁面から遠ざかる気流を発生し、また、他の風向板からの排気流はこの最も風速の大きな気流に誘引されることから排気流全体を外壁面から遠ざけることとなるので、排気流による外壁の汚れを防止することができるという効果を奏する。
【００１１】
また、風向板を、外壁から離れる角度で設けるという構成にしてもよい。これにより、フード下方の開口部からの排気流全体を壁面から遠ざけることとなるので、より外壁の汚れを防止することができるという効果を奏する。
【００１２】
また、角度を、外壁から離れるほど狭くするという構成にしてもよい。これにより、複数の風向板の角度が外壁面から最も遠くに位置する風向板よりも大きくなるので、複数の風向板からの排気流が最も風速の大きな外壁面から遠ざかる気流に向かって発生することにより誘引効果が高められ、排気流全体を壁面から遠ざけることとなるので、より外壁の汚れを防止することができるという効果を奏する。
【００１３】
また、風向板同士の間隔を、外壁から離れるほど狭くするという構成にしてもよい。これにより、屋内からの排気は外壁に取り付けられる略中央に有した開口部から正面部および天面部と側部を閉口して形成したフードの下方に流れるため、正面部近傍の風向板に風量が集中する。そのため、外壁から離れた位置にある複数の風向板同士の間隔を狭くすることで正面部近傍の複数の風向板からの風速を高め、外壁から遠ざかる誘引気流を効果的に発生し、また、風量が少ない開口部分においては複数の風向板同士の間隔が広くなっているため、等間隔の複数の風向板に対して通気抵抗が低減されることとなるので、通気抵抗を低減しつつ、外壁の汚れを防止することができるという効果を奏する。
【００１４】
また、風向調整板とフード正面部との間隔を、その他の複数の風向板同士の間隔より狭くするという構成にしてもよい。これにより、屋内からの排気は外壁に取り付けられる略中央に有した開口部から正面部および天面部と側部を閉口して形成したフードの下方に流れるため、正面部近傍の風向調整板に風量が集中し、外壁から最も離れた位置にある複数の風向調整板との間隔を狭くすることで正面部近傍の風向板からの風速を高め、外壁から遠ざかる誘引気流を効果的に発生することができ、また、最も離れた位置にある風向板の間隔だけを狭くすることで通気抵抗の増加を最小限に抑えられることとなるので、通気抵抗の増加を最小限に抑えつつ、外壁の汚れを防止することができるという効果を奏する。
【００１５】
また、複数の風向板の形状を、曲面状の曲面部を形成するという構成にしてもよい。これにより、正面部および天面部と側部を閉口して形成したフードの下方への排気流を緩やかに変化でき、通気抵抗の増加を最小限に抑えられることとなるので、通気抵抗の増加を最小限に抑えることができるという効果を奏する。
【００１６】
また、曲面部を、外壁側に凹部を形成するという構成にしてもよい。これにより、正面部および天面部と側部を閉口して形成したフードの下方への排気流を凹部に沿って緩やかに壁面から遠ざかる気流に変化でき、通気抵抗の増加を最小限に抑えられることとなるので、より通気抵抗の増加を最小限に抑えつつ、外壁の汚れを防止することができるという効果を奏する。
【００１７】
また、フードの正面部と両側面部との間に傾斜面を設け、前記傾斜面に空気の流通する開口部を設けるという構成にしてもよい。これにより、室内の汚染された空気が換気されるときには、本体に設けた開口部からフード内に送られた天面部側方に設けた開口から、外壁面より遠ざかった方向の室外に排出されることとなるので、排気流による外壁の汚れを防止することができるという効果を奏する。
【００１８】
また、外壁に設けられ、室内と室外を連通するダクトに挿入される筒部と、外壁に取り付けられ、略中央に開口部を有したフランジ部とからなる本体と、この本体に固定され、正面部および天面部を閉口し、下部および側部を開口し、空気の流通路を形成するという構成にしてもよい。これにより、吹き上げの風によって筒部にまで侵入した雨滴は、筒部の内周面に沿って下方に滴れ、筒部の内周面の下端に溜まる。このとき、筒部の内部で室外から室内の方向へ向かう風が発生したとき、筒部の内周面の下端に溜まった雨滴は室内の方向へ流される。雨滴が筒部の室内側下端に到達したとき、止水板によって遮られ、さらに室内方向へ流されるのを防止することとなるので、風と共に雨水が室内に侵入することを低減し、住宅材の耐久性が損なわれるのを防止することができるという効果を奏する。
【００１９】
また、フランジ部の開口部を、筒部の内径寸法より大きい内径寸法の開口とし、この開口の外周にはフード側に突出する筒壁を形成するとともに、前記筒壁の下部に水抜穴を設けるという構成にしてもよい。これにより、下からの吹き上げの風によってフランジ部の開口部（のガラリ部）の近傍に付着した雨滴は、筒壁の内周面に沿って下側に流れ、筒壁の下部の水抜穴より排出される。また、筒壁の内周面に滴れた雨滴は、筒壁の内径寸法が筒部の内径寸法より大であるため筒部の内周面にさかのぼって侵入することはないため、雨水を室内へ侵入するのを防ぐことができることとなるので、風と共に雨水が室内に侵入することを低減し、住宅材の耐久性が損なわれるのを防止することができるという効果を奏する。
【００２０】
以下、本発明の実施の形態について、図面を参照しながら説明する。
【００２１】
（実施の形態１）
図１および図２に示すように、外壁１に取り付けられる略中央に開口部２を有した本体３と、正面部４および天面部５と側部６を閉口して形成したフード７と、前記フード７の下方に複数の風向板８を設けたものであって、複数の風向板８に、外壁面９から最も遠くに位置する風向板８をその他の複数の風向板８より下方に長く形成した風向調整板１０を設ける構成とする。
【００２２】
上記構成により、外壁面９から最も遠くに位置する風向板８をその他の風向板８である複数の風向板８より下方に長く形成した風向調整板１０を設けることによって、他の風向板８よりも多くの空気を受けることにより、風向板８の排気流のなかで最も大きな風速の外壁面９から遠ざかる気流を発生させ、他の風向板８からの排気流がこの最も風速の大きな気流に誘引されることから排気流全体を外壁面９から遠ざける。
【００２３】
よって、排気流による外壁の汚れを防止することができることとなる。
【００２４】
また、図３および図４に示すように風向板８Ａを、外壁１から離れる角度で設ける構成とする。
【００２５】
上記構成により、フード７下方の開口部１１からの排気流全体を外壁面９から遠ざける。
【００２６】
よって、より外壁１の汚れを防止することができることとなる。
【００２７】
また、図５および図６に示すように風向板８Ｂの角度を、外壁１から離れるほど狭くする構成とする。
【００２８】
上記構成により、複数の風向板８Ｂの角度が外壁面９から最も遠くに位置する風向板よりも大きくなるので、複数の風向板８Ｂからの排気流が最も風速の大きな外壁面９から遠ざかる気流に向かって発生することにより誘引効果が高められ、排気流全体を外壁面から遠ざける。
【００２９】
よって、より外壁１の汚れを防止することができることとなる。
【００３０】
また、図７および図８に示すように風向板８Ｃ同士の間隔を、外壁１から離れるほど狭くする構成とする。
【００３１】
上記構成により、屋内からの排気は外壁１に取り付けられる略中央に開口部２から正面部４および天面部５と側部６を閉口して形成したフード７の下方に流れるため、正面部４近傍の風向板８Ｃに風量が集中する。そのため、外壁１から離れた位置にある複数の風向板８Ｃ同士の間隔を狭くすることで正面部４近傍の複数の風向板８Ｃからの風速を高め、外壁１から遠ざかる誘引気流を効果的に発生し、また、風量が少ない開口部分においては複数の風向板８Ｃ同士の間隔が広くなっているため、等間隔の複数の風向板８Ｃに対して通気抵抗が低減される。
【００３２】
よって、通気抵抗を低減しつつ、外壁１の汚れを防止することができることとなる。
【００３３】
また、図９に示すように風向調整板１０Ａとフード７の正面部４との間隔（ｌ）を、その他の複数の間隔同士の間隔（ｍ）より狭くする構成とする。
【００３４】
上記構成により、屋内からの排気は外壁１に取り付けられる略中央に開口部２から正面部４および天面部５と側部６を閉口して形成したフード７の下方に流れるため、正面部４近傍の複数の風向板８Ｄに風量が集中し、外壁１から最も離れた位置にある風向調整板１０Ａとの間隔を狭くすることで正面部４近傍の風向板８Ｄからの風速を高め、外壁１から遠ざかる誘引気流を効果的に発生することができ、また、最も離れた位置にある風向調整板１０Ａのフード７の正面部４との間隔だけを狭くすることで通気抵抗の増加を最小限に抑えられる。
【００３５】
よって、通気抵抗の増加を最小限に抑えつつ、外壁１の汚れを防止することができることとなる。
【００３６】
また、図１０および図１１に示すように複数の風向板の形状を、曲面状の曲面部を形成する構成とする。
【００３７】
上記構成により、正面部４および天面部５と側部６を閉口して形成したフード７の下方への排気流を緩やかに変化でき、通気抵抗の増加を最小限に抑えられる。
【００３８】
よって、通気抵抗の増加を最小限に抑えることができることとなる。
【００３９】
また、複数の風向板８Ｅの曲面部１２を、外壁１側に凹部１３を形成する構成とする。
【００４０】
上記構成により、正面部４および天面部５と側部６を閉口して形成したフード７の下方への排気流を凹部１３に沿って緩やかに外壁面９から遠ざかる気流に変化でき、通気抵抗の増加を最小限に抑えられる。
【００４１】
よって、より通気抵抗の増加を最小限に抑えつつ、外壁１の汚れを防止することができることとなる。
【００４２】
また、図１２〜図１４に示すようにフード７Ａの正面部４Ａと側部６Ａとの間に傾斜面１４を設け、前記傾斜面１４に空気の流通する開口部１５を設ける構成とする。
【００４３】
上記構成により、室内１６からの排気は、本体３に設けた開口部２からフード７Ａ内に送られ、傾斜面１４に設けた開口部１５から、外壁面９より遠ざかった方向の室外１７に排出される。
【００４４】
よって、排気流による外壁１の汚れを防止することができることとなる。
【００４５】
また、図１５〜図１７に示すように外壁１に設けられ、室内１６と室外１７を連通するダクト１８に挿入される筒部１９と、外壁１に取り付けられ、略中央に開口部２を有したフランジ部２０とからなる本体３と、この本体３に固定され、正面部４Ｂおよび天面部５Ｂを閉口し、下部２１および側部６Ｂを開口し、空気の流通路を形成する構成とする。
【００４６】
上記構成により、吹き上げの風によって筒部１９にまで侵入した雨滴２２は、筒部１９の内周面２３に沿って下方に滴れ、筒部１９の内周面２３の下端に溜まる。このとき、筒部１９の内部で室外１７から室内１６の方向へ向かう風が発生したとき、筒部１９の内周面２３の下端に溜まった雨滴２２は室内１６の方向へ流される。雨滴２２が筒部１９の室内側下端に到達したとき、止水板２４によって遮られ、さらに室内１６方向へ流されるのを防止する。
【００４７】
よって、風と共に雨水が室内１６に侵入することを低減し、住宅材の耐久性が損なわれるのを防止することができることとなる。
【００４８】
また、図１８および図１９に示すようにフランジ部２０Ａの開口部２Ａを、筒部１９の内径寸法（ｎ）より大きい内径寸法（ｏ）の開口とし、この開口の外周にはフード７側に突出する筒壁２５を形成するとともに、前記筒壁２５の下部に水抜穴２６を設ける構成とする。
【００４９】
上記構成により、下からの吹き上げの風によってフランジ部２０Ａの開口部２Ａの近傍に付着した雨滴２２は、筒壁２５の内周面２７に沿って下側に流れ、筒壁２５の下部の水抜穴２６より排出される。また、筒壁２５の内周面２７に滴れた雨滴２２は、筒壁２５の内径寸法（ｎ）が筒部１９の内径寸法（ｏ）より大であるため筒部の内周面２７にさかのぼって侵入することはないため、雨水を室内へ侵入するのを防ぐことができる。
【００５０】
よって、風と共に雨水が室内１６に侵入することを低減し、住宅材の耐久性が損なわれるのを防止することができることとなる。
【産業上の利用可能性】
【００５１】
本発明にかかる外壁端末換気口は、排気流による外壁の汚れを防止することを可能とするものであるので、室内に設置される給気口などとしても有用である。
【符号の説明】
【００５２】
１      外壁
２      開口部
２Ａ    開口部
３      本体
４      正面部
４Ａ    正面部
４Ｂ    正面部
５      天面部
５Ｂ    天面部
６      側部
６Ａ    側部
６Ｂ    側部
７      フード
７Ａ    フード
８      風向板
８Ａ    風向板
８Ｂ    風向板
８Ｃ    風向板
８Ｄ    風向板
８Ｅ    風向板
９      外壁面
１０    風向調整板
１０Ａ  風向調整板
１１    開口部
１２    曲面部
１３    凹部
１４    傾斜面
１５    開口部
１６    室内
１７    室外
１８    ダクト
１９    筒部
２０    フランジ部
２０Ａ  フランジ部
２１    下部
２２    雨滴
２３    内周面
２４    止水板
２５    筒壁
２６    水抜穴
２７    内周面
【図１】
0005515801.tif 000002
【図２】
0005515801.tif 000003
【図３】
0005515801.tif 000004
【図４】
0005515801.tif 000005
【図５】
0005515801.tif 000006
【図６】
0005515801.tif 000007
【図７】
0005515801.tif 000008
【図８】
0005515801.tif 000009
【図９】
0005515801.tif 000010
【図１０】
0005515801.tif 000011
【図１１】
0005515801.tif 000012
【図１２】
0005515801.tif 000013
【図１３】
0005515801.tif 000014
【図１４】
0005515801.tif 000015
【図１５】
0005515801.tif 000016
【図１６】
0005515801.tif 000017
【図１７】
0005515801.tif 000018
【図１８】
0005515801.tif 000019
【図１９】
0005515801.tif 000020
【図２０】
0005515801.tif 000021